【事件の表示】
　平成８年特許願第１２３８０２号「特定記録フォーマットを有するＩＣカードメモリ及びそのディジタル音声記録及び再生方法」拒絶査定に対する審判事件［平成９年２月７日出願公開、特開平９−３５０２９］について、次のとおり審決する。
【結　論】
　本件審判の請求は、成り立たない。
【理　由】
Ａ　本願発明
　本件審判請求に係る特許願は平成８年５月１７日になされ，該出願と同時に１９９５年（平成７年）６月２８日に大韓民国になした特許出願に基づいてパリ条約第４条の規定により優先権を主張されたものであって，明細書及び図面の記載からみて，
　その特許請求の範囲の欄の請求項１の記載に係る発明（以下，「本願発明」という）の構成は，
　「メモリＩＣカードの全体に対する情報及びフォーマットに対する情報を貯蔵するためのへッダ領域と，
　一つのチャプターに関連情報を貯蔵するチャプター分散テーブル領域と，
　記録されたデータブロックに対応する一つのクラスターインデックスのアドレスを貯蔵するためのクラスターインデックステーブル領域と，
　ディジタル音声データを貯蔵するためのデータ領域と，
　前記へッダ，チャプター分散テーブル，クラスターインデックステーブル又はデータ領域中の任意のブロックにおけるエラー発生に対備するための４つのブロックを有するスペア領域と，
　前記データ領域から発生するエラーブロックを管理するためのエラーブロック管理領域とを備え，
　前記チャプター分散テーブル領域の最後のビットにクラスターインデックステーブル領域の開始アドレスを貯蔵し，
　前記クラスターインデックステーブル領域の開始アドレスはクラスターインデックステーブル領域の任意の一つのクラスターインデックスアドレスを指定し，前記指定されたクラスターインデックスアドレスは連鎖的に他のクラスターインデックスアドレスを指定するように構成したことを特徴とするＩＣカードメモリ」
である。
（特許請求の範囲の欄の記載参照）
Ｂ　刊行物記載の発明
１　原査定の理由において提示された，特開平６−２３１０１４号公報（平成６年８月１９日特許庁発行，以下「刊行物１」という）には，
　一つのチャプター（「ディレクトリエントリ」）に関連情報（「ファイル名称」，「時間」，「日付」，「開始クラスタ」，「ファイルの大きさ」等）を貯蔵する「ルートディレクトリ領域」と，
　記録されたデータブロックに対応する一つのクラスターインデックスのアドレスを貯蔵するための「ＦＡＴ領域」と，
　ディジタル音声データを貯蔵するための「データファイル記録領域」とを備え，
　前記「ルートディレクトリ領域」の最後の前のビットに「ＦＡＴ領域」の開始アドレス（「開始クラスタ」）を貯蔵するように構成した「メモリカード」
の発明が記載されている。
　ここで，上記発明を本願発明の用語で表現する。
　上記発明の「データファイル記録領域」は本願発明の「データ領域」と同義であり，
　上記発明の「ルートディレクトリ領域」，「ＦＡＴ領域」は，夫々本願発明の「チャプター分散テーブル領域」，「クラスターインデックステーブル領域」と等価であり，
　上記発明の「メモリカード」は本願発明の「ＩＣカードメモリ」（「メモリＩＣカード」と同義）を包摂することを考慮すると，
　刊行物１には，
　一つのチャプターに関連情報を貯蔵するチャプター分散テーブル領域と，
　記録されたデータブロックに対応する一つのクラスターインデックスのアドレスを貯蔵するためのクラスターインデックステーブル領域と，
　ディジタル音声データを貯蔵するためのデータ領域とを備え，
　前記チャプター分散テーブル領域の最後の前のビットにクラスターインデックステーブル領域の開始アドレスを貯蔵するように構成したカードメモリ，
の発明（以下，「第１の発明」という）が記載されている。
２　同様に，原査定の理由において提示された，鷹野澄　他１名著「ＯＳシリーズ（第４巻）ＭＳ−ＤＯＳ」（共立出版株式会社，１９８８年３月発行，８２〜８３頁，以下「刊行物２」という。表４．６，図４．８を参照）には，
　「ルートディレクトリ・エントリ」のビットに「ＦＡＴ領域」の開始アドレス（「最初のクラスタ番号」）を貯蔵し，この「ＦＡＴ領域」の開始アドレスは「ＦＡＴ領域」の任意の一つの「クラスタ番号（００４）」を指定し，前記指定された「クラスタ番号（００４）」は連鎖的に他の「クラスタ番号（００５），（００８），（００Ａ），（００Ｂ）」を指定する「クラスタ・チェイン」
の発明（以下，「第２の発明」という）が記載されている。
３　同様に，原査定の理由において提示された，特開平１−２５８０９１号公報（平成１年１０月１６日特許庁発行，以下「刊行物３」という），及び特開平４−３０７６４７号公報（平成４年１０月２９日特許庁発行，以下「刊行物４」という）には，
　その全体に対する情報及びフォーマットに対する情報を貯蔵するための「へッダ領域」を設けた「メモリカード」
の発明（以下，「第３の発明」という）が記載されている。
４　同様に，原査定の理由において提示された，特開昭６３−２１９０４５号公報（昭和６３年９月１２日特許庁発行，以下「刊行物５」という），及び特開平４−７５１５２号公報（平成４年３月１０日特許庁発行，以下「刊行物６」という）には，
　メモリ領域の任意のブロックにおけるエラー発生に対備するための「予備領域」と，前記メモリ領域から発生するエラーブロックを管理するためのエラーブロック管理領域（「不良番地マップ」，「エラーページ管理テーブル」）とを設けたメモリシステム，
の発明（以下，「第４の発明」という）が記載されている。
Ｃ　本願発明の創作可能性
　本願発明（以下，「前者」という）と刊行物１に記載された第１の発明（以下，「後者」という）とを比較すると，
　両者が，
　一つのチャプターに関連情報を貯蔵するチャプター分散テーブル領域と，
　記録されたデータブロックに対応する一つのクラスターインデックスのアドレスを貯蔵するためのクラスターインデックステーブル領域と，
　ディジタル音声データを貯蔵するためのデータ領域とを備え，
　前記チャプター分散テーブル領域の一部のビットにクラスターインデックステーブル領域の開始アドレスを貯蔵するように構成したカードメモリ，
を構成要件としている点で一致しており，
(1)　前記「カードメモリ」として，前者が，ＩＣカードメモリを採用しているのに対して，後者がその種類を明記していない点，
(2)　前者が，ＩＣカードメモリの全体に対する情報及びフォーマットに対する情報を貯蔵するためのへッダ領域を設けているのに対して，後者がそのようなへッダ領域を設けているか否か明記していない点，
(3)　前者が，前記へッダ，チャプター分散テーブル，クラスターインデックステーブル又はデータ領域中の任意のブロックにおけるエラー発生に対備するための４つのブロックを有するスペア領域と，前記データ領域から発生するエラーブロックを管理するためのエラーブロック管理領域とを設けているのに対して，後者がそのような領域を設けていない点，
(4)　前記「開始アドレス」を，前者が最後のビットに設けているのに対して，後者が最後の前のビットに設けている点，
(5)　前者が，前記クラスターインデックステーブル領域の開始アドレスはクラスターインデックステーブル領域の任意の一つのクラスターインデックスアドレスを指定し，前記指定されたクラスターインデックスアドレスは連鎖的に他のクラスターインデックスアドレスを指定するように構成しているのに対して，後者がそのように構成していない点，
で相違している。
　従って，本願発明は，刊行物１に記載された第１の発明において，(1)′前記「カードメモリ」としてＩＣカードメモリを採用し，(2)′ＩＣカードメモリの全体に対する情報及びフォーマットに対する情報を貯蔵するためのへッダ領域を設け，(3)′前記へッダ，チャプター分散テーブル，クラスターインデックステーブル又はデータ領域中の任意のブロックにおけるエラー発生に対備するための４つのブロックを有するスペア領域と，前記データ領域から発生するエラーブロックを管理するためのエラーブロック管理領域とを設け，(4)′前記「開始アドレス」を最後のビットに設け，(5)′前記クラスターインデックステーブル領域の開始アドレスはクラスターインデックステーブル領域の任意の一つのクラスターインデックスアドレスを指定し，前記指定されたクラスターインデックスアドレスは連鎖的に他のクラスターインデックスアドレスを指定するように構成することにより，発明をすることができたものである。
Ｄ　本願発明の創作容易性
　上記(1)′〜(5)′について検討する。
(1)′について，
　「カードメモリ」の分野では「ＩＣカードメモリ」は周知である（例えば刊行物４，刊行物５にも記載されている）ので，
　刊行物１に記載された第１の発明において，
　前記「カードメモリ」としてＩＣカードメモリを採用して本願発明のようにすることは，当業者が容易になし得たことである。
(2)′について，
　その全体に対する情報及びフォーマットに対する情報を貯蔵するための「へッダ領域」を設けた「メモリカード」は，刊行物３及び刊行物４に第３の発明として記載されているので，
　刊行物１に記載された第１の発明において，
　ＩＣカードメモリの全体に対する情報及びフォーマットに対する情報を貯蔵するためのへッダ領域を設けて本願発明のようにすることは，当業者が容易になし得たことである。
(3)′について，
　メモリ領域の任意のブロックにおけるエラー発生に対備するための「予備領域」（本願発明の「スペア領域」と同義である）を設けたメモリシステムは，刊行物５，刊行物６に第４の発明として記載されており，
　前記へッダ領域，チャプター分散テーブル領域，クラスターインデックステーブル領域，及びデータ領域が，何れもメモリ領域として前記刊行物に記載されて公知であり（むしろ周知であり），
　メモリ領域（データ領域を含む）から発生するエラーブロックを管理するためのエラーブロック管理領域を設けたメモリシステムも，刊行物５，刊行物６に第４の発明として記載されているので，
　刊行物１に記載された第１の発明において，
　(2)′の様にへッダ領域を設け，前記へッダ，チャプター分散テーブル，クラスターインデックステーブル又はデータ領域中の任意のブロックにおけるエラー発生に対備するための４つのブロックを有するスペア領域と，前記データ領域から発生するエラーブロックを管理するためのエラーブロック管理領域とを設けて本願発明のようにすることは，当業者が容易になし得たことである。
(4)′について，
　刊行物１に記載された「ルートディレクトリ領域」に於ける関連情報の「ファイル名称」，「時間」，「日付」，「開始クラスタ」，「ファイルの大きさ」等の各情報を貯蔵する順番が任意に決定し得るものであることは，当業者に自明であるので，
　刊行物１に記載された第１の発明において，
　前記「開始アドレス」（「開始クラスタ」）を最後のビットに設けて本願発明のようにすることは，当業者が容易になし得たことである。
(5)′について，
　「ルートディレクトリ・エントリ」（本願発明の「チャプター分散テーブル領域」と等価である）のビットに「ＦＡＴ領域」（本願発明の「クラスターインデックステーブル領域」と等価である）の開始アドレス（「最初のクラスタ番号」）を貯蔵し，この「ＦＡＴ領域」の開始アドレスは「ＦＡＴ領域」の任意の一つの「クラスタ番号（００４）」を指定し，前記指定された「クラスタ番号（００４）」は連鎖的に他の「クラスタ番号（００５），（００８），（００Ａ），（００Ｂ）」を指定する「クラスタ・チェイン」は，刊行物２に第２の発明として記載されているので，
　刊行物１に記載された第１の発明において，
　前記クラスターインデックステーブル領域の開始アドレスはクラスターインデックステーブル領域の任意の一つのクラスターインデックスアドレスを指定し，前記指定されたクラスターインデックスアドレスは連鎖的に他のクラスターインデックスアドレスを指定するように構成して本願発明のようにすることは，当業者が容易になし得たことである。
Ｅ　結び
　以上Ａ〜Ｄ項を総合して判断すると，本願明細書の特許請求の範囲の欄の請求項１の記載に係る発明は，刊行物１に記載された第１の発明に基づき刊行物２〜６に記載された第２〜４の発明を用いて当業者が容易に発明をすることができたものであるので，特許法第２９条第２項の規定により，本件審判請求人である本願出願人は本願明細書の特許請求の範囲の欄の請求項１の記載に係る発明について特許を受けることができない。
  よって，結論の通り審決する。